(57)【特許請求の範囲】
【請求項１】
開口部に複数の扉を上下に設け、開口部の左右両側に垂下状態で上下に並んだ各扉を上下にガイドするガイドレールを設け、各扉をそれぞれ垂下させた状態でガイドレールに沿って上下に昇降させる昇降手段と、昇降手段による引き上げで開口部の上部に達した扉を上から順に前方に突出するように回転させて開くための回転手段とを設け、上記回転手段を、扉側に設けたトリガーと、開口部側に設けられた扉跳ね上げ用のトリガー当て部材とで構成し、扉が開口部の上部に達したときにトリガーがトリガー当て部材に当たって扉が前方に回転して開き且つ扉が開口部の上部よりも下方に下降したときにはトリガーがトリガー当て部材から離れて扉が自重で垂下した状態に戻るように構成し、トリガーがトリガー当て部材から離れて自重で垂下した状態に戻る際における扉の衝撃を緩衝するための衝撃緩衝手段を設けて成ることを特徴とする扉開閉装置。
【請求項２】
トリガー当て部材にトリガーが当たった状態で扉を前方に突出するように保持するための開状態保持部を設け、トリガー当て部材の開状態保持部の下部にトリガーがトリガー当て部材から離れる直前に当たる衝撃緩衝手段を構成する緩衝用扉保持部を設け、緩衝用扉保持部を上記開状態保持部より後方にずらして扉の開き角度が開状態保持部でトリガーを保持した状態における扉の開き角度よりも小さくなるようにしたことを特徴とする請求項１記載の扉開閉装置。
【請求項３】
開口部の両側縁部に開口フレームを設け、扉に扉側緩衝部材を設け、開口フレームにフレーム側緩衝部材を設け、トリガーがトリガー当て部材から離れて自重で垂下した状態に戻る際に扉側緩衝部材がフレーム側緩衝部材に当たって扉の開き角度がトリガー当て部材でトリガーを保持した状態における扉の開き角度よりも小さくなるようにし、上記扉側緩衝部材とフレーム側緩衝部材とでトリガーがトリガー当て部材から離れて自重で垂下した状態に戻る際における扉の衝撃を緩衝するための衝撃緩衝手段を構成して成ることを特徴とする請求項１又は請求項２記載の扉開閉装置。
【発明の詳細な説明】
【０００１】
【発明の属する技術分野】
本発明は、例えばクローゼット、キャビネット等の収納部の開口部に用いられる扉開閉装置に関するものである。
【０００２】
【従来の技術】
従来、クローゼット扉、キャビネット扉としては、横方向に開閉する開き戸、複数枚の扉をつづら折れ状にした折れ戸、引き戸等が知られている。
【０００３】
また、上下に昇降させる扉として、ロールスクリーンやシャッター等が知られている。
【０００４】
【発明が解決しようとする課題】
ところが、従来の開き戸や折れ戸は開くときに前方に障害物が置いてあると当ってしまい、開けることができなくなることがある。また開けた状態では開き戸や折れ戸が邪魔になって開けたままで作業をすることができなくなる。
【０００５】
なお引き戸は前方に障害物があっても開けることができるが、戸袋のない場合は、半分しか開けることができない。またフルオープンにするためには戸袋スペースを別途設ける必要がある。
【０００６】
一方、上下に昇降させるロールスクリーンやシャッター等にあっては、デザイン的に内装部材として不適格であり、とくにロールスクリーンにあっては簡易目隠しとしての用途に限られてしまう。またいずれの場合も、収納スペースの上部に戸袋を別途設置しているため、戸袋によって収納スペースが狭められてしまうという問題もある。
【０００７】
そこで、本発明者は本発明に至る過程で、開口部に複数の扉を上下に設け、開口部の左右両側に垂下状態で上下に並んだ各扉を上下にガイドするガイドレールを設け、各扉をそれぞれ垂下させた状態でガイドレールに沿って上下に昇降させる昇降手段と、昇降手段による引き上げで開口部の上部に達した扉を上から順に前方に突出するように回転させて開くための回転手段とを設け、この回転手段を、扉側に設けたトリガーと、開口部側に設けられた扉跳ね上げ用のトリガー当て部材とで構成し、扉が開口部の上部に達したときにトリガーがトリガー当て部材に当たって扉が前方に回転して開き且つ扉が開口部の上部よりも下方に下降したときにはトリガーがトリガー当て部材から離れて扉が自重で垂下した状態に戻るように構成することを考えた。このような構成の扉開閉装置においては、扉を上下に開閉させることで、扉の開閉の挙動が廻りのものに影響を与えてしまうことがなく、設置場所に制約を受けることがなくなり、しかも上下に開閉させる構造でありながら、収納スペースの上部に戸袋を設置する必要がないという特徴を有している。
【０００８】
しかしながら、トリガーをトリガー当て部材に当接して扉を前方に突出する姿勢に保持した開状態から扉を閉じるために扉を下降させてトリガーがトリガー当て部材から離れて自重で垂下した状態に戻す際、扉が前方に突出した開状態から垂下状態に一気に回動して開口部の開口フレームに当たるため、大きな衝撃が発生し、この大きな衝撃により衝撃音が発生するのみならず、大きな衝撃により扉、回転軸が損傷するという問題が発生することが判明した。
【０００９】
本発明は、上記の点に鑑みて発明したものであって、その目的とするところは、扉を上下に開閉させることで、扉の開閉の挙動が廻りのものに影響を与えてしまうことがなく、設置場所に制約を受けることがなくなり、しかも上下に開閉させる構造でありながら、収納スペースの上部に戸袋を設置する必要のない扉開閉装置において、簡単な構成でトリガーがトリガー当て部材から離れて自重で垂下した状態に戻る際における扉の衝撃を緩衝することができるようにすることを目的とするものである。
【００１０】
【課題を解決するための手段】
上記課題を解決するために本発明にあっては、開口部１に複数の扉２を上下に設け、開口部１の左右両側に垂下状態で上下に並んだ各扉２を上下にガイドするガイドレール３を設け、各扉２をそれぞれ垂下させた状態でガイドレール３に沿って上下に昇降させる昇降手段５と、昇降手段５による引き上げで開口部１の上部に達した扉２を上から順に前方に突出するように回転させて開くための回転手段６とを設け、上記回転手段６を、扉２側に設けたトリガー１２と、開口部１側に設けられた扉２跳ね上げ用のトリガー当て部材１３とで構成し、扉２が開口部１の上部に達したときにトリガー１２がトリガー当て部材１３に当たって扉２が前方に回転して開き且つ扉２が開口部１の上部よりも下方に下降したときにはトリガー１２がトリガー当て部材１３から離れて扉２が自重で垂下した状態に戻るように構成し、トリガー１２がトリガー当て部材１３から離れて自重で垂下した状態に戻る際における扉２の衝撃を緩衝するための衝撃緩衝手段９０を設けて成ることを特徴とするものである。このような構成とすることで、上下複数の扉２を垂下した状態のままで上下に昇降させることで、扉２の前方Ｆに障害物があっても扉２が当ってしまうことがなく、扉２の開閉の挙動が廻りの物に影響を与えないものとなり、また、回転手段６により開口部１の上部１ａで各扉２が回転して開くので、扉２と扉２とが干渉しない状態で、開閉をスムーズに行なうことができ、これにより扉２の前方Ｆのスペースが狭い場合でも設置可能となると共に、扉２は開口部１の上部で回転して開くので、収納スペースの上部に戸袋を設置する必要もなく、収納スペースを有効に使用でき、しかも各扉２は開口部１の上部１ａで回転して開き、下部では回転しないため、開いたままでの作業に支障をきたすこともないものであり、更に、衝撃緩衝手段９０を設けてあるので、トリガー１２がトリガー当て部材１３から離れて自重で垂下した状態に戻る際における扉２の衝撃を緩衝できるものである。
【００１１】
また、トリガー当て部材１３にトリガー１２が当たった状態で扉２を前方に突出するように保持するための開状態保持部９１を設け、トリガー当て部材１３の開状態保持部９１の下部にトリガー１２がトリガー当て部材１３から離れる直前に当たる衝撃緩衝手段９０を構成する緩衝用扉保持部９２を設け、緩衝用扉保持部９２を上記開状態保持部９１より後方にずらして扉２の開き角度が開状態保持部９１でトリガー１２を保持した状態における扉２の開き角度よりも小さくなるようにすることが好ましい。このような構成とすることで、トリガー１２に緩衝用扉保持部９２を設けることで、トリガー１２がトリガー当て部材１３から離れて自重で垂下した状態に戻る直前に開き角度が小さい状態で扉２を保持し、その後、小さい開き角度となった扉２を回動することで自重で垂下した状態にできて、緩衝用扉保持部９２を上記開状態保持部９１より後方にずらすという簡単な構成で衝撃を緩衝することができるものである。
【００１２】
また、開口部１の両側縁部に開口フレームを設け、扉２に扉側緩衝部材９３を設け、開口フレームにフレーム側緩衝部材９４を設け、トリガー１２がトリガー当て部材１３から離れて自重で垂下した状態に戻る際に扉側緩衝部材９３がフレーム側緩衝部材９４に当たって扉２の開き角度がトリガー当て部材１３でトリガー１２を保持した状態における扉２の開き角度よりも小さくなるようにし、上記扉側緩衝部材９３とフレーム側緩衝部材９４とでトリガー１２がトリガー当て部材１３から離れて自重で垂下した状態に戻る際における扉２の衝撃を緩衝するための衝撃緩衝手段９０を構成することが好ましい。このような構成とすることで、トリガー１２がトリガー当て部材１３から離れて自重で垂下した状態に戻る際に、扉側緩衝部材９３がフレーム側緩衝部材９４に当たって開き角度が小さい状態で扉２を保持し、その後、小さい開き角度となった扉２を回動することで自重で垂下した状態にできて、緩衝用扉保持部９２を上記開状態保持部９１より後方にずらすという簡単な構成で衝撃を緩衝することができるものである。
【００１３】
【発明の実施の形態】
以下、本発明を添付図面に示す実施形態に基づいて説明する。
【００１４】
図１は本例の扉開閉装置Ａを正面側からみた斜視図、図２は斜め下から見た斜視図、図３は扉２を省略した正面図、図４はモータ付近の斜視図、図５はガイドレールの水平断面図である。
【００１５】
本例の扉開閉装置Ａは、開口部１に設置されるものである。一例を挙げると、例えばクローゼット、キャビネット等の収納部４の開口部１に設置されるものであり、開口部１には複数の扉２が上下に設けられ、開口部１の左右両側には、図５に示すように、上下方向に延びた開口フレーム８０が設けられ、各開口フレーム８０には、上下に並んだ各扉２を垂下手段で上下にガイドするガイドレール３が設けられている。本例では、図２０〜図２２に示すように、収納部４の上端縁４ａに回転自在に固定された回転扉７１が配置され、その下には複数の扉２が上下に並べて配置されている。回転扉７１は収納部４の上端縁４ａと最上段の扉２との間の隙間Ｗを隠すためのものであり、この回転扉７１の回転軸７２は蝶番７３を介して収納部４に上端面側に回転自在に固定されている。
【００１６】
上下複数の扉２は、同じ構造をしており、扉本体２ａの上部に扉フレーム１５を介して回転軸８が回転自在に取り付けて構成される。扉フレーム１５は、例えばアルミニウム製からなる。図１７に示すように、扉フレーム１５の下部には扉本体２ａの上端縁が嵌合する凹溝１６が設けられ、扉フレーム１５の上部には、トリガー金具１７の嵌合片１８が嵌合する嵌合溝１９と、回転軸８を回転自在に支持する軸受け部２０とが設けられている。扉フレーム１５は、扉本体２ａの上端縁の左右２箇所に配置され、各扉フレーム１５間には図１８に示すように連結軸２１が配置され、回転軸８の一端部が連結軸２１の端部に挿入されていると共に規制用ネジ２２にてその挿入量が規制されている。
【００１７】
上記扉フレーム１５には、図１７（ａ）、（ｃ）に示すトリガー金具１７が取り付けられている。トリガー金具１７は、扉フレーム１５の下部にネジ止めされるネジ止め部２３と、扉フレーム１５の嵌合溝１９に嵌合する嵌合片１８と、軸受け部２０を閉じて回転軸８の抜け止めを行なう抜け止め部２４と、後述するトリガー１２とが一体形成されている。扉フレーム１５の凹溝１６に接着剤を塗布して扉本体２ａの上端縁を接合し、且つ、トリガー金具１７の嵌合片１８を扉フレーム１５の嵌合溝１９に嵌合させた状態で、トリガー金具１７のネジ止め部２３からネジを凹溝１６内の扉本体２ａに螺入することによって、扉本体２ａと扉フレーム１５とトリガー金具１７とが一体に固定されている。このとき凹溝１６の奥の隙間が接着剤溜まり部２７となる。またトリガー金具１７の抜け止め部２４によって回転軸８が扉フレーム１５の軸受け部２０に回転自在に保持された状態となっている。
【００１８】
回転軸８は、開口部１の左右両側にそれぞれ突出しており、各回転軸８にはスライドシュー２５（２５ａ）が取り付けられている。各スライドシュー２５（２５ａ）は、図５に示すように、ガイドレール３に設けた平面視Ｔ形突条２６にスライド嵌合しており、平面視Ｔ形突条２６によってスライドシュー２５（２５ａ）の前後左右の動きが規制され、上下方向のみに移動可能となっている。
【００１９】
一方、収納部４側には、図３、図４に示すように、各扉２をそれぞれ垂下状態でガイドレール３に沿って上下に昇降させる昇降手段５と、昇降手段５による引き上げで開口部１の上部１ａに達した扉２を上から順に前方Ｆに突出するように回転させて開くための回転手段６とが設けられている。
【００２０】
先ず、昇降手段５は、最下段の扉２を上下に駆動する駆動手段７と、各扉２の回転軸８を相互に連結する複数のジョイントプレート９と、扉２が開口部１の上部１ａに達するまでは最下段の扉２の駆動力をジョイントプレート９を介して他の扉２に伝わるように扉２の回転軸８とジョイントプレート９とをロックするロック手段１０と、扉２が開口部１の上部１ａに達したときに扉２の回転軸８とジョイントプレート９とのロックを解除するロック解除手段１１とを備えている。
【００２１】
ここで、駆動手段７は正逆回転可能なモータ３０と、水平方向に延びた駆動軸３１と、左右一対のタイミングベルト３２等で構成される。モータ３０は収納部４の上部に配置され、モータ３０の出力軸が歯車列３３，３４を介して駆動軸３１に伝達される。駆動軸３１はブラケット８０にて回転自在に支持されており、その長手方向の両端部にはカップリング３５を介して、左右両側の歯付きプーリー３６のプーリー軸３７にそれぞれ連結されている。収納部４の下部両側には別の歯付きプーリー３８が配置されている。右側の上下の歯付きプーリー３６，３８間、左側の上下の歯付きプーリー３６，３８間には、それぞれ、無端環状のタイミングベルト３２が巻き掛けられている。本例では左右のタイミングベルト３２には、それぞれ、最下段の扉２の回転軸８に設けられたスライドシュー２５のみが結合されている。結合方法の一例として、図５に示すように、タイミングベルト３２の一部に固定金具３９を重ね、固定金具３９から略Ｕ字状に突設した突片４０を最下段のスライドシュー２５に設けた係止溝４１に係止させた状態で、固定金具３９をタイミングベルト３２にネジ止めする。なお図５中の５０は歯付きプーリー３６を固定する固定リブ、５１は配線部品５２を収納する空間、５３はカバー部材である。
【００２２】
上記各扉２の回転軸８を相互に連結する複数のジョイントプレート９は、ガイドレール３に設けた通路部６０にスライド自在に保持されている。各ジョイントプレート９は、図５に示すように、通路部６０の上部で互いに重なり合えるように左右に所定ピッチずれて配置されている。
【００２３】
各ジョイントプレート９は、図９（ａ）に示すように、ジョイントプレート９は縦長形状をし且つ下端には前後両側に突出した下端フランジ部９ａ，９ｂが設けられている。ジョイントプレート９の内側には長孔６１が穿設され、長孔６１の下端には長孔６１と連通し且つ長孔６１と直交するコ字状のロック溝６２が穿設されている。ジョイントプレート９の上部には長孔６１とは連通しない軸孔６３が穿設されている。
【００２４】
本例では図１０に示すように、最上段の回転軸８は、上から２段目のジョイントプレート９の軸孔６３を貫通して最上段のジョイントプレート９の長孔６１内に挿入されている。上から２段目の回転軸８は、上から３段目のジョイントプレート９の軸孔６３を貫通して上から２段目のジョイントプレート９の長孔６１内に挿入されている。同様にして、上から３段目の回転軸８は、上から４段目のジョイントプレート９の軸孔６３を貫通して上から３段目のジョイントプレート９の長孔６１内に挿入されている。最下段の回転軸８は最下段のジョイントプレート９の長孔６１内に挿入されている。なお図６〜図１３の例では、扉２を５枚、ジョイントプレート９を４枚としたが、これらの枚数に限定されるものではなく、例えば図１４、図１５に示すように、扉２を６枚、ジョイントプレート９を５枚としてもよく、それらの枚数は任意に変更自在である。
【００２５】
ここで、ジョイントプレート９は扉２を上昇させていく際には、扉２及び回転軸８の荷重や各種の摺動抵抗などが加わり、これらに抗して扉２を押し上げることとなる。特に最下段のジョイントプレート９はそれより上部にあるすべての荷重を受けて押し上げることとなるため、それを支えるだけの強度が必要となる。これらを勘案してジョイントプレート９の材質、強度が設定されている。
【００２６】
また、回転軸８がジョイントプレート９のロック溝６２から外れて長孔６１内に移動するとき、下側のジョイントプレート９が該回転軸８によって引き上げられる際にその下側のジョイントプレート９の上端が上側のジョイントプレート９の下端フランジ部９ａ又は９ｂに当たって引っ掛る場合が考えられる。これを防止するために本例ではジョイントプレート９の長孔６１に沿って縦方向にシボ加工が施されている。ここではジョイントプレート９の縦方向に沿ってジョイントプレート９の厚みよりも大きな出代を持った湾曲突起６４が形成されており、この湾曲突起６４によってジョイントプレート９間に必要な間隙Ｓ（図９）が確保されるようになっている。
【００２７】
次に、ロック手段１０及びロック解除手段１１について説明する。ロック手段１０は、扉２が開口部１の上部１ａに達するまでは最下段の扉２の駆動力をジョイントプレート９を介して他の扉２に伝わるように扉２の回転軸８とジョイントプレート９とをロックするためのものであり、本例では、図１１（ａ）に示すように、通路部６０の一側壁から所定の厚みで突出した上下２つのロック用突部１０ａ，１０ｂで構成されている。ここでは下側のロック用突部１０ｂは通路部６０の下端から通路部６０の上部手前まで延びており、上側のロック用突部１０ａは下側のロック用突部１０ｂの上方に離れて設けられている。上側のロック用突部１０ａは最上段のジョイントプレート９をロックするものであり、下側のロック用突部１０ｂは上から２番目以降のジョイントプレート９をロックするものである。上下のロック用突部１０ａ，１０ｂの各上端面１０ｃはそれぞれテーパー面となっており、ジョイントプレート９の下端フランジ部９ａがスムーズに移動できるようにしてある。なお、上下のロック用突部１０ａ，１０ｂはそれぞれガイドレール３に設けた左右一対の凸リブ６６（図５）にて保持されている。
【００２８】
さらに、各扉２が開口部１の上部１ａに達したときにはロック解除手段１１によって、上から順に扉２の回転軸８とジョイントプレート９とのロックが解除される。本例では、ロック解除手段１１は、通路部６０の他側壁から突設された上下２つのロック解除用突起１１ａ，１１ｂにて構成されている。上側のロック解除用突起１１ａは上側のロック用突部１０ａよりも上方に位置し、下側のロック解除用突起１１ｂは上下のロック用突部１０ａ，１０ｂの中間に位置している。各ロック解除用突起１１ａ，１１ｂの下端面１１ｃはそれぞれテーパー面となっており、ジョイントプレート９の下端フランジ部９ｂがスムーズに移動できるようにしてある。
【００２９】
次に、回転手段６の原理を図１３を参照して説明する。回転手段６は、図１３に示すように、上下複数の扉２側に設けたトリガー１２と、収納部４の上端部より垂下した扉跳ね上げ用のトリガー当て部材１３とで構成される。トリガー１２は、扉フレーム１５よりも後方で且つ斜め上に向かって突出している。トリガー１２の角度は任意に設定される。トリガー当て部材１３の下端縁は斜め後ろに屈曲させてある。そして、各扉２が上方に引き上げられて、各扉２に設けたトリガー１２がトリガー当て部材１３に当たることによって、上から順に扉２が前方Ｆに突出するように回転して開き、最終的には図１３（ｌ）に示すように、すべての扉２が上下に重なった状態で保持されるようになっている。
【００３０】
また本例では、図２０〜図２２に示すように、収納部４の上端縁４ａには回転扉７１が回転自在に固定されており、この回転扉７１によって最上段の扉２と収納部４の上端縁４ａとの隙間Ｗが隠されるようになっている。一方、最上段のジョイントプレート９の上端部には、図２０に示すように、回転扉用トリガー８２と跳ね上げ用金具７４とが一体に設けられている。一方、収納部４側には回転扉７１に設けた回転扉用トリガー８２が当る回転扉用トリガー当て部材１３ａが設けてある。回転扉用トリガー当て部材１３ａの下端はトリガー当て部材１３の下端よりも上方に位置しており、回転扉用トリガー当て部材１３ａの下端よりも下方に回転扉用トリガー８２が対向配置されている。なお図１９の例では回転扉用トリガー当て部材１３ａ及びトリガー当て部材１３には、それぞれ、上下に間隔をあけて扉２の落下防止を図るための凸部７０が設けられている。
【００３１】
本発明においては、トリガー１２がトリガー当て部材１３から離れて自重で垂下した状態に戻る際における扉２の衝撃を緩衝するための衝撃緩衝手段９０を設けてあり、図１６に示す実施形態では、トリガー当て部材１３に、トリガー１２が当たった状態で扉２を前方に突出するように保持するための開状態保持部９１を設けると共にトリガー当て部材１３の開状態保持部９１の下部にトリガー１２がトリガー当て部材１３から離れる直前に当たる衝撃緩衝手段９０を構成する緩衝用扉保持部９２を設けてあり、緩衝用扉保持部９２を上記開状態保持部９１より後方にずらして扉２の開き角度が開状態保持部９１でトリガー１２を保持した状態における扉２の開き角度よりも小さくなるようにしてある。図１６に示す実施形態では、トリガー当て部材１３は下端部を除く上下方向の略全部が開状態保持部９１となっており、トリガー当て部材１３の下端部が開状態保持部９１よりも後方に引き込んだ段状をした緩衝用扉保持部９２となっており、開状態保持部９１にあたって扉２を前方に突出する状態に保持している状態から扉２を下降させて開状態保持部９１の下端からトリガー１２が下方に離れると、扉２が回動してトリガー１２が緩衝用扉保持部９２に当たる。このトリガー１２が緩衝用扉保持部９２に当たった状態における扉２の開き角度は開状態保持部９１でトリガー１２を保持した状態における扉２の開き角度よりも小さくいものであり、いったん扉２の開き角度を小さくした状態で、次に、トリガー１２が緩衝用扉保持部９２から離れて回転することで、扉２が回動して垂下状態になって開口フレーム３に当たるものであり、この際、小さな開き角度から回転して垂下状態となるため、回転の衝撃力を小さくすることができるのである。
【００３２】
次に、動作を説明する。
【００３３】
先ず図６に示すように、各扉２が開口部１の上部１ａよりもそれぞれ下方に位置している際には、各扉２はそれぞれ自重により垂下状態にあり、回転扉７１も垂下状態にあり、これにより開口部１は全閉状態にある。このとき上下複数のジョイントプレート９は図１１（ａ）に示すように、上下に一列に長く延びており且つ各扉２の回転軸８が各ジョイントプレート９のロック溝６２にそれぞれ係止している。つまり、通路部６０の一側壁に設けられたロック用突部１０ａ，１０ｂによって各ジョイントプレート９が通路部６０の一側壁から離れる方向に押されていることで、各回転軸８はロック溝６２に入り込んで係止されている。
【００３４】
この状態から開口部１を開くときは、スイッチ操作にてモータ３０を正回転させる。すると、駆動軸３１を介してタイミングベルト３２が一方向に回転し、図１１（ａ）、（ｂ）に示すように、タイミングベルト３２に結合されている最下段の扉２のみが押し上げられると共に最下段の扉２の回転軸８にロックされている最下段のジョイントプレート９が押し上げられる。このとき各扉２の回転軸８が各ジョイントプレート９のロック溝６２に係止しており、且つジョイントプレート９は上下のロック用突部１０ａ、１０ｂによって上下に連なった状態で保持されているため、最下段のジョイントプレート９が押し上げられると、すべてのジョイントプレート９がそれぞれ上昇し、これに追随してすべての扉２が上昇する。このとき、各ジョイントプレート９はロック用突部１０ａ、１０ｂによって横方向の動きが規制されているため、各回転軸８と各ジョイントプレート９とが確実にロックされ、最下段の扉２からの駆動力が各ジョイントプレート９を介して各回転軸８に確実に伝えられる。先ず図１１（ａ）〜（ｄ）に示すように、最上段のジョイントプレート９の下端フランジ部９ａ，９ｂが、上側のロック用突部１０ａの上端面１０ｃから上方に抜け出して上側のロック解除用突起１１ａに当たることで、最上段のジョイントプレート９のみが通路部６０の一側壁がわに押し戻されて、最上段の扉２の回転軸８が最上段のジョイントプレート９のロック溝６２から外れて長孔６１内を上昇し、最上段の回転軸８と２番目の回転軸８との距離が縮まる。以下同様にして、上の扉２から順に開口部１の上部１ａに達していくことにより、図１２（ａ）〜（ｄ）に示すように、各回転軸８間の距離が順に縮められると共に、各ジョイントプレート９が通路部６０の上部で相互に重なり合った状態となる。
【００３５】
一方、最初に最上段のジョイントプレート９が上昇すると、図２０→図２１→図２２に示すように、回転扉用トリガー８２が回転扉用トリガー当て部材１３ａに当って跳ね上げ用金具７４が前方Ｆに跳ね上げられることにより、回転扉７１が前方Ｆに突出するように回転して開く。さらに上下に並んだ扉２が上から順に開口部１の上部１ａに達する。このとき図１３（ｂ）のように扉２のトリガー１２がトリガー当て部材１３に当たることで図１３（ｃ）のように回転軸８を中心に前方Ｆに回転する力が加わり、扉２が前方Ｆに突出するように回転して開く。続いて上から２段目の扉２のトリガー１２がトリガー当て部材１３の下端縁に当たることによって２段目以降の各扉２も前方Ｆに回転して開く。またこのときトリガー１２とトリガー当て部材１３との距離などによって決定される角度まで扉２が回転すると、回転軸８が更に上昇してもそれ以上は扉２は回転せず、その角度を保持したまま上昇していくこととなる（図１３（ｂ）〜（ｋ））。最終的に、図１３（ｌ）及び図７に示すように、すべての扉２及び回転扉７１が前方Ｆに跳ね上げられて上下に重なりあったフルオープン状態となる。
【００３６】
なお、この状態では、回転扉用トリガー当て部材１３ａ及びトリガー当て部材１３に図１９に示すように凸部７０を設けたものにおいては、凸部７０によって回転扉用トリガー８２及びトリガー１２がそれぞれ保持されることで、回転扉７１及び各扉２は落下防止状態で保持されるようになる。
【００３７】
次に、開口部１を閉鎖するときはモータ３０を逆回転することにより、上記と逆の動作で各扉２が下降していく。最初にタイミングベルト３２に結合されている最下段の扉２のみが下降し、その回転軸８が最下段のジョイントプレート９の長孔６１内を下降して最下段のジョイントプレート９を押し下げる。そして、図１２（ｃ）→（ｂ）のように、最上段のジョイントプレート９の下端フランジ部９ａ，９ｂが上側のロック解除用突起１１ａよりも下方に抜け出して、上側のロック用突部１０ａに当ることによって、最上段のジョイントプレート９は通路部６０の他側壁がわに向かって押される。これにより、最上段の扉２の回転軸８が長孔６１の下端からロック溝６２に係止された状態となり、この状態で最下段の扉２が下降すると、図１３（ｌ）→（ｋ）→（ｊ）→（ｉ）のように、最下段の扉２側のトリガー１２がトリガー当て部材１３の下端縁から離れ、最下段の扉２はその自重で垂下状態に戻る。以下同様にして、上から順に各扉２がジョイントプレート９のロック溝６２にロックされ、各扉２の回転軸８が通路部６０の上部よりも下方に移動すると共に、すべてのジョイントプレート９が上下に一列に長く延びた状態で保持されると共に、図１１（ａ）、図１３（ａ）のように、すべての扉２が垂下状態に戻る。また各扉２を下降させる際に、下の扉２のトリガー１２から順にトリガー当て部材１３の凸部７０を越えて下降し、最後に、回転扉用トリガー８２が回転扉用トリガー当て部材１３ａの凸部７０を越えて下降する。これにより、すべての扉２が一度に落下したり、扉２（回転扉７１を含む）が勢い良く回転して衝撃音を生じたりすることがない。
【００３８】
ところで、本発明においては、図１６に示すようにトリガー１２がトリガー当て部材１３から離れて自重で垂下した状態に戻る際、開状態保持部９１にトリガー１２が当たって扉２を前方に突出する状態に保持している状態から扉２を下降させて開状態保持部９１の下端からトリガー１２が下方に離れると、扉２が回動してトリガー１２が緩衝用扉保持部９２に当たり、このトリガー１２が緩衝用扉保持部９２に当たった状態における扉２の開き角度が開状態保持部９１でトリガー１２を保持した状態における扉２の開き角度よりも小さいので、その後、トリガー１２が緩衝用扉保持部９２から離れて回転して垂下状態になって開口フレーム３に当たっても小さな開き角度から回転して垂下状態となるため、回転の衝撃力が小さくて、この結果、大きな衝撃音が発生せず、衝撃による扉２や回転軸８の損傷がないようにできるものである。
【００３９】
なお、回転扉用トリガー当て部材１３ａの下端部にもトリガー当て部材１３と同様に緩衝用扉保持部９２’を設けてもよい。
【００４０】
ここで、上記実施形態においては、トリガー当て部材１３の開状態保持部９１の下部にトリガー１２がトリガー当て部材１３から離れる直前に当たる緩衝用扉保持部９２を設けて衝撃緩衝手段９０を構成した例を示したが、緩衝衝撃手段９０として図２３乃至図２７に示すようなものであってもよい。
【００４１】
すなわち、図２３乃至図２７に示す実施形態では扉２の後面の側端部に扉側緩衝部材９３を後方に向けて突出して設け、また、開口フレーム３の内側面の上部にフレーム側緩衝部材９４を突出して設け、この扉側緩衝部材９３とフレーム側緩衝部材９４とで緩衝衝撃手段９０を構成し、トリガー１２がトリガー当て部材１３から離れて自重で垂下した状態に戻る際に扉側緩衝部材９３がフレーム側緩衝部材９４に当たって扉２の開き角度がトリガー当て部材１３でトリガー１２を保持した状態における扉２の開き角度よりも小さくなるようにする。
【００４２】
図２４はトリガー１２がトリガー当て部材１３に当たって扉２が前方に突出した状態を保持してある扉開状態である。この状態で扉２を下降させ（図２５おいて最下段の扉２を下降させる例が示してある）、トリガー１２がトリガー当て部材１３の下端に到って回転している途中の状態である。このようにしてトリガー１２が回転すると、扉２が直ぐに開口フレーム３に当たることなく、図２６のように扉２の後面の側端部に設けた扉側緩衝部材９３が開口フレーム３に設けたフレーム側緩衝部材９４に一旦当たって回転が停止する。この更に、扉２を下降させると、扉側緩衝部材９３がフレーム側緩衝部材９４に当たった状態で下降して図２７のように扉側緩衝部材９３がフレーム側緩衝部材９４から下方に離れることで扉２を再に回転し、扉２が自重で垂下した状態となる。この場合、扉２が開口フレーム３の前面に当たっても、図２６のように扉２の開き角度が小さくなった状態からの回転であるため、回転の衝撃力が小さくて、この結果、大きな衝撃音が発生せず、衝撃による扉２や回転軸８の損傷がないようにできるものである。
【００４３】
ここで、扉側緩衝部材９３、フレーム側緩衝部材９４がゴムのような弾性部材により構成してあると、よりいっそう回転の衝撃力を緩衝できるものである。
【００４４】
もちろん、図示を省略しているが、本発明において、前述の図１６に示す、トリガー当て部材１３の開状態保持部９１の下部にトリガー１２がトリガー当て部材１３から離れる直前に当たる緩衝用扉保持部９２を設け、更に、扉２の後面の側端部に扉側緩衝部材９３を後方に向けて突出して設けると共に開口フレーム３の内側面の上部にフレーム側緩衝部材９４を突出して設け、上記緩衝用扉保持部９２と、扉側緩衝部材９３、フレーム側緩衝部材９４とで緩衝衝撃手段９０を構成するようにしてもよい。
【００４５】
しかして、上下複数の扉２を垂下状態のままで上下に昇降させるので、扉２の前方Ｆに障害物があっても扉２が当ってしまうことがなく、扉２の開閉の挙動が廻りの物に影響を与えないものとなる。また、上下に設けた複数の扉２を垂下状態で上昇させていくと、開口部１の上部１ａで各扉２は回転手段６によって回転して開くので、扉２と扉２とが干渉しない状態で、開閉がスムーズにできるようになる。従って、扉２の前方Ｆのスペースが狭い場合でも設置可能となると共に、扉２は開口部１の上部１ａで前方Ｆに突出するように回転して開くので、収納部４内部の上部に戸袋を設置したりする必要もなく、収納スペースを有効に使用できる。しかも各扉２は収納部４の下部では前方Ｆに突出しないため、各扉２（回転扉７１を含む）を開いたままでの作業に支障をきたすことがなく、フルオープンの状態で容易に作業できるようになる。
【００４６】
また、図８に示すように、複数の扉２が開口部１の上部１ａよりも下方に下降している状態、つまり、開口部１がすべて閉鎖されている状態で、各扉２は個別に開閉可能となっている。つまり、各扉２は開口部１の上部１ａよりも下降した位置では、扉２のトリガー１２がトリガー当て部材１３から離れており、且つ各扉２は扉フレーム１５を介して回転軸８に回転自在に支持されているため、任意の扉２を手で前方Ｆに向かって開くことができる。また、回転扉用トリガー８２は回転扉用トリガー当て部材１３ａから離れており、且つ回転扉７１は回転軸７２を介して収納部４の上端縁４ａに回転自在に支持されているため、回転扉７１も手で前方Ｆに向かって開くことができる。従って、小さい小物等を取り出すときには回転扉７１を含むすべての扉２を開口部１の上部１ａまで上昇させる必要がなく、任意の扉２（或いは回転扉７１）だけを手で開いて物の出し入れができるようになり、使用者にとって使い勝手が良くなる。さらに回転扉７１によって最上段の扉２と収納部４の上端縁４ａとの間の隙間Ｗを隠すことができるので、外観も良好となる。
【００４７】
また本例では、図５に示すように、タイミングベルト３２を最下段の扉２の回転軸８に結合しており、１つのモータ３０によって最下段の扉２のみを駆動させるだけで、すべての扉２の昇降動作及び回転動作を行なうことができる。とくに、複数のジョイントプレート９とロック用突部１０ａ、１０ｂとによって、各扉２の回転軸８同士を垂下状態のままで昇降させることができ、またロック解除用突起１１ａ、１１ｂによって各扉２の回転軸８間の距離を縮めた状態で回転手段６により複数の扉２をコンパクトに開くことができるので、駆動機構がきわめて簡易となる。また左右にタイミングベルト３２を設け、各タイミングベルト３２に最下段の扉２の回転軸８に取り付けた左右一対のスライドシュー２５を結合しているので、最下段の扉２をバランスよく上下に駆動させることができ、結果的に各扉２の昇降動作及び開閉動作をバランスよく且つスムーズに行なうことができる。
【００４８】
また、各ジョイントプレート９には、その縦方向に沿ってジョイントプレート９の厚みよりも大きな出代を持った湾曲突起６４がシボ加工により形成されており、この湾曲突起６４によってジョイントプレート９間に必要な間隙Ｓが確保されるようになっているので、回転軸８がジョイントプレート９のロック溝６２から外れて長孔６１内に移動する際に、該回転軸８によって引き上げられる下側のジョイントプレート９の上端が上側のジョイントプレート９の下端フランジ部９ａ又は９ｂに当たって引っ掛る等の心配がなくなり、回転軸８の移動及びジョイントプレート９の上昇動作がスムーズに行なわれるようになる。さらにシボ加工によってジョイントプレート９の強度向上を図ることができる。
【００４９】
なお、回転扉７１は省略可能であり、上下に昇降する複数の扉２のみで開口部１を開閉する構造であってもよい。
【００５０】
また、前記実施形態では、モータ３０により扉２を駆動させる電動式を例示しているが、電動式に限らず、手動式で駆動させるようしてもよい。つまり歯付きプーリー３６にワイヤケーブルを連結し、該ワイヤケーブルを手で巻き取りあるいは巻き戻すことにより、タイミングベルト３２を手動で回転させて扉２を昇降させることも可能である。
【００５１】
【発明の効果】
上述のように請求項１記載の発明にあっては、開口部に複数の扉を上下に設け、開口部の左右両側に垂下状態で上下に並んだ各扉を上下にガイドするガイドレールを設け、各扉をそれぞれ垂下させた状態でガイドレールに沿って上下に昇降させる昇降手段と、昇降手段による引き上げで開口部の上部に達した扉を上から順に前方に突出するように回転させて開くための回転手段とを設けてあるので、上下複数の扉を垂下した状態のままで上下に昇降させることで、扉の前方に障害物があっても扉が当ってしまうことがなく、扉の開閉の挙動が廻りの物に影響を与えないものとなり、また、回転手段により開口部の上部で各扉が回転して開くので、扉と扉とが干渉しない状態で、開閉をスムーズに行なうことができて、扉の前方のスペースが狭い場合でも設置可能となると共に収納スペースの上部に戸袋を設置する必要もなく、収納スペースを有効に使用でき、各扉は収納部の上部で前方に突出し、下部では前方に突出しないため、開いたままでの作業に支障をきたすことがなく、フルオープンの状態で容易に作業できるものである。しかも、回転手段を、扉側に設けたトリガーと、開口部側に設けられた扉跳ね上げ用のトリガー当て部材とで構成し、扉が開口部の上部に達したときにトリガーがトリガー当て部材に当たって扉が前方に回転して開き且つ扉が開口部の上部よりも下方に下降したときにはトリガーがトリガー当て部材から離れて扉が自重で垂下した状態に戻るように構成し、トリガーがトリガー当て部材から離れて自重で垂下した状態に戻る際における扉の衝撃を緩衝するための衝撃緩衝手段を設けてあるので、トリガーとトリガー当て部材との当接によって扉が開き、扉が更に上昇してもそれ以上は扉は回転せず、その角度を保持したまま上昇していくことができるので、最終的にすべての扉を開いた状態で保持できるのみならず、トリガーがトリガー当て部材から離れて自重で垂下した状態に戻る際における扉の衝撃を緩衝できて、扉を回動して閉じる際における大きな衝撃音が発生せず、また、扉や回転軸の損傷がないものである。
【００５２】
また請求項２記載の発明は、請求項１記載の効果に加えて、トリガー当て部材にトリガーが当たった状態で扉を前方に突出するように保持するための開状態保持部を設け、トリガー当て部材の開状態保持部の下部にトリガーがトリガー当て部材から離れる直前に当たる衝撃緩衝手段を構成する緩衝用扉保持部を設け、緩衝用扉保持部を上記開状態保持部より後方にずらして扉の開き角度が開状態保持部でトリガーを保持した状態における扉の開き角度よりも小さくなるようにしてあるので、トリガーがトリガー当て部材から離れて自重で垂下した状態に戻る直前に開き角度が小さい状態で扉を保持し、その後、小さい開き角度となった扉を回動することで自重で垂下した状態にできて、緩衝用扉保持部を上記開状態保持部より後方にずらすという簡単な構成で衝撃を緩衝することができるものである。
【００５３】
また、請求項３記載の発明にあっては、上記請求項１又は請求項２記載の発明の効果に加えて、開口部の両側縁部に開口フレームを設け、扉に扉側緩衝部材を設け、開口フレームにフレーム側緩衝部材を設け、トリガーがトリガー当て部材から離れて自重で垂下した状態に戻る際に扉側緩衝部材がフレーム側緩衝部材に当たって扉の開き角度がトリガー当て部材でトリガーを保持した状態における扉の開き角度よりも小さくなるようにし、上記扉側緩衝部材とフレーム側緩衝部材とでトリガーがトリガー当て部材から離れて自重で垂下した状態に戻る際における扉の衝撃を緩衝するための衝撃緩衝手段を構成してあるので、トリガーがトリガー当て部材から離れて自重で垂下した状態に戻る際に、扉側緩衝部材がフレーム側緩衝部材に当たって開き角度が小さい状態で扉を保持し、その後、小さい開き角度となった扉を回動することで自重で垂下した状態にできて、緩衝用扉保持部を上記開状態保持部より後方にずらすという簡単な構成で衝撃を緩衝することができるものである。
【図面の簡単な説明】
【図１】本発明の実施形態の一例を示す斜視図である。
【図２】同上の扉開閉装置を斜め下から見た斜視図である。
【図３】同上の扉を省略した正面図である。
【図４】同上のモータ付近の斜視図である。
【図５】同上のガイドレールの断面図である。
【図６】同上の各扉が閉じられた状態の斜視図である。
【図７】同上の各扉が開いた状態の斜視図である。
【図８】同上の任意の扉のみを開いた状態の斜視図である。
【図９】（ａ）はジョイントプレートの正面図、（ｂ）は（ａ）のＢ−Ｂ線断面図である。
【図１０】同上の回転軸による連結状態の説明図である。
【図１１】（ａ）〜（ｄ）は同上のジョイントプレートの上昇動作の説明図である。
【図１２】（ａ）〜（ｄ）は同上のジョイントプレートの上昇動作の説明図である。
【図１３】（ａ）〜（ｌ）は同上の扉の回転動作の説明図である。
【図１４】（ａ）〜（ｃ）は同上の扉が６枚、ジョイントプレートが５枚の場合において、扉が垂下した状態の説明図である。
【図１５】（ａ）〜（ｃ）は同上の扉が６枚、ジョイントプレートが５枚の場合において、扉が開いた状態の説明図である。
【図１６】同上の衝撃緩衝手段の一実施形態を示す説明図である。
【図１７】（ａ）は同上の扉フレームとトリガー金具の組み立て後の側面図、（ｂ）は扉フレームの側面図、（ｃ）はトリガー金具付き扉の側面図である。
【図１８】（ａ）は同上の扉の一部省略した平面図、（ｂ）は一部省略した正面図である。
【図１９】同上のトリガー当て部材に落下防止用の凸部を設けた場合の説明図である。
【図２０】同上の最上段の扉と収納部の上端間の隙間を隠すための回転扉を説明する側面図である。
【図２１】同上の回転扉の跳ね上げ途中の状態の説明図である。
【図２２】同上の回転扉の跳ね上げ状態の説明図である。
【図２３】同上の衝撃緩衝手段の他の実施形態を示す斜視図である。
【図２４】同上の扉が開いた状態の説明図である。
【図２５】同上の扉を閉じている途中の状態の説明図である。
【図２６】同上の扉側緩衝部材がフレーム側緩衝部材に当たって衝撃緩衝した状態の説明図である。
【図２７】同上の扉側緩衝部材がフレーム側緩衝部材よりも下方に移動して扉が垂設状態となった説明図である。
【符号の説明】
１  開口部
２  扉
３  ガイドレール
５  昇降手段
６  回転手段
７  駆動手段
８  回転軸
１２  トリガー
１３  トリガー当て部材
９０  衝撃緩衝手段
９１  開状態保持部
９２  緩衝用扉保持部
９３  扉側緩衝部材
９４  フレーム側緩衝部材
【図１】
0003714287.tif 000002
【図２】
0003714287.tif 000003
【図３】
0003714287.tif 000004
【図４】
0003714287.tif 000005
【図５】
0003714287.tif 000006
【図６】
0003714287.tif 000007
【図７】
0003714287.tif 000008
【図８】
0003714287.tif 000009
【図９】
0003714287.tif 000010
【図１０】
0003714287.tif 000011
【図１１】
0003714287.tif 000012
【図１２】
0003714287.tif 000013
【図１３】
0003714287.tif 000014
【図１４】
0003714287.tif 000015
【図１５】
0003714287.tif 000016
【図１６】
0003714287.tif 000017
【図１７】
0003714287.tif 000018
【図１８】
0003714287.tif 000019
【図１９】
0003714287.tif 000020
【図２０】
0003714287.tif 000021
【図２１】
0003714287.tif 000022
【図２２】
0003714287.tif 000023
【図２３】
0003714287.tif 000024
【図２４】
0003714287.tif 000025
【図２５】
0003714287.tif 000026
【図２６】
0003714287.tif 000027
【図２７】
0003714287.tif 000028